(57)【要約】【課題】移動体（例えばユーザ、車両）周辺の案内対象物（例えば施設）の存在をユーザに対して積極的かつ適切に報知する。【解決手段】表示装置（画像表示装置３１）の表示画面における地図上に移動体（車両）の現在位置を表示して移動体を目的地まで誘導するナビゲーション装置１０が、道路情報を含む地図情報を記憶する地図情報記憶部Ｆ２と、案内対象物を示すＰＯＩ情報を記憶するＰＯＩ情報記憶部Ｆ３とを備え、移動体の現在位置を検出し、検出した現在位置に基づいて基準位置を決定し、決定した基準位置から所定範囲内に存在する案内対象物を示すＰＯＩ情報を検索し、検索したＰＯＩ情報が示す案内対象物を特定可能な案内対象物特定情報（施設名称）を含む案内情報（案内プレート）を、その案内対象物が存在する位置が基準位置から見ていずれの方向にあるかを識別可能に表示画面に表示する。【選択図】図８
2011033543.tif 000002
【特許請求の範囲】
【請求項１】
表示装置の表示画面における地図上に移動体の現在位置を表示して前記移動体を目的地まで誘導するナビゲーション装置であって、
道路情報を含む地図情報を記憶する地図情報記憶手段と、
案内対象物を示すＰＯＩ情報を記憶するＰＯＩ情報記憶手段と、
前記移動体の現在位置を検出する位置検出手段と、
該位置検出手段によって検出された前記現在位置に基づいて基準位置を決定する基準位置決定手段と、
該基準位置決定手段によって決定された前記基準位置から所定範囲内に存在する案内対象物を示すＰＯＩ情報を検索するＰＯＩ情報検索手段と、
該ＰＯＩ情報検索手段によって検索されたＰＯＩ情報が示す案内対象物を特定可能な案内対象物特定情報を含む案内情報を、当該案内対象物が存在する位置が前記基準位置から見ていずれの方向にあるかを識別可能に前記表示画面に表示する案内情報表示手段とを含む
ことを特徴とするナビゲーション装置。
【請求項２】
前記移動体の進行方向を特定する進行方向特定手段を含み、
前記基準位置決定手段は、前記進行方向特定手段により特定された進行方向から前記移動体の進行方向に存在する分岐点を特定して前記基準位置として決定し、
前記ＰＯＩ情報検索手段は、
前記基準位置決定手段によって前記基準位置として決定された分岐点から進行可能な道路を特定する進行可能道路特定手段を有し、
該進行可能道路特定手段によって特定された進行可能道路から所定の範囲内に存在する案内対象物を示すＰＯＩ情報を検索する
請求項１記載のナビゲーション装置。
【請求項３】
前記基準位置決定手段は、前記移動体の進行方向に存在する分岐点が所定の範囲内に存在する場合に当該分岐点を基準位置として決定する
請求項１または請求項２記載のナビゲーション装置。
【請求項４】
前記案内情報表示手段によって表示された案内情報を示す案内履歴情報を記憶する案内履歴情報記憶手段と、
案内履歴情報表示要求を受け付ける案内履歴情報表示要求受付手段と、
該案内履歴情報表示要求受付手段によって案内履歴情報表示要求を受け付けたことに応じて、前記案内履歴情報によって特定されるＰＯＩ情報を抽出するＰＯＩ情報抽出手段と、
該ＰＯＩ情報抽出手段により抽出されたＰＯＩ情報を表示するＰＯＩ情報表示手段とを含む
請求項１から請求項３のうちいずれかに記載のナビゲーション装置。
【請求項５】
前記基準位置決定手段は、前記位置検出手段によって検出された移動体の現在位置を基準位置に決定し、
前記案内情報表示手段は、前記基準位置から見て所定の複数方向側それぞれに存在する案内対象物を特定可能なそれぞれの案内対象物特定情報を前記複数方向別にそれぞれ含む各方向毎の案内情報を、前記基準位置から見た各方向側にそれぞれ表示する
請求項１から請求項４のうちいずれかに記載のナビゲーション装置。
【請求項６】
前記案内情報表示手段は、案内対象物特定情報と、該案内対象物特定情報によって特定される案内対象物が存在する位置が前記基準位置から見ていずれの方向にあるかを識別可能な存在位置識別情報とを含む案内情報を前記表示画面に表示する
請求項１から請求項４のうちいずれかに記載のナビゲーション装置。
【請求項７】
前記基準位置決定手段は、前記所定の範囲内に存在する分岐点が複数ある場合に、該複数の分岐点間の距離が特定の距離以内であれば当該複数の分岐点を関連分岐点として特定し、
前記案内情報表示手段は、前記基準位置決定手段により関連分岐点として特定された複数の分岐点に関する案内情報を表示画面に表示する
請求項６記載のナビゲーション装置。
【請求項８】
前記道路情報は、道路と分岐点とにそれぞれ複数の種別が設定された情報であり、
前記基準位置決定手段は、前記位置検出手段により検出された前記移動体の現在位置と前記道路情報とを参照して前記移動体の現在位置が特定の道路上であるか否か確認し、特定の道路上であった場合には、特定の道路種別に対応する種別が設定された分岐点を基準位置として決定する
請求項１から請求項７のうちいずれかに記載のナビゲーション装置。
【請求項９】
前記ＰＯＩ情報の案内禁止条件を記憶する案内禁止条件記憶手段を有し、
前記ＰＯＩ情報検索手段は、前記案内禁止条件を満たすＰＯＩ情報以外のＰＯＩ情報を検索する
請求項１から請求項８のうちいずれかに記載のナビゲーション装置。
【請求項１０】
表示装置の表示画面における地図上に移動体の現在位置を表示して前記移動体を目的地まで誘導するナビゲーション方法であって、
前記移動体の現在位置を検出する位置検出処理と、
該位置検出処理にて検出した前記現在位置に基づいて基準位置を決定する基準位置決定処理と、
案内対象物を示すＰＯＩ情報を記憶するＰＯＩ情報ＤＢに記憶された当該ＰＯＩ情報の中から、前記基準位置決定処理にて決定された前記基準位置から所定範囲内に存在する案内対象物を示すＰＯＩ情報を検索するＰＯＩ情報検索処理と、
該ＰＯＩ情報検索処理にて検索したＰＯＩ情報が示す案内対象物を特定可能な案内対象物特定情報を含む案内情報を、当該案内対象物が存在する位置が前記基準位置から見ていずれの方向にあるかを識別可能に前記表示画面に表示する案内情報表示処理とを含む
ことを特徴とするナビゲーション方法。
【請求項１１】
表示装置の表示画面における地図上に移動体の現在位置を表示して前記移動体を目的地まで誘導させるためのナビゲーションプログラムであって、
コンピュータに、
前記移動体の現在位置を検出する位置検出処理と、
該位置検出処理にて検出した前記現在位置に基づいて基準位置を決定する基準位置決定処理と、
案内対象物を示すＰＯＩ情報を記憶するＰＯＩ情報ＤＢに記憶された当該ＰＯＩ情報の中から、前記基準位置決定処理にて決定された前記基準位置から所定範囲内に存在する案内対象物を示すＰＯＩ情報を検索するＰＯＩ情報検索処理と、
該ＰＯＩ情報検索処理にて検索したＰＯＩ情報が示す案内対象物を特定可能な案内対象物特定情報を含む案内情報を、当該案内対象物が存在する位置が前記基準位置から見ていずれの方向にあるかを識別可能に前記表示画面に表示する案内情報表示処理とを
実行させるためのナビゲーションプログラム。
【発明の詳細な説明】
【技術分野】
【０００１】
本発明は、基準位置から各方面に存在する施設等を案内するナビゲーション装置、ナビゲーション方法、およびナビゲーション装置に動作制御させるためのナビゲーションプログラムに関する。
【背景技術】
【０００２】
従来から、ユーザによる検索条件の入力を受け付けて、多数の施設の中からユーザの目的に合った施設を検索する機能を有したナビゲーション装置が多数提案されている。このようなナビゲーション装置には、検索条件を絞りすぎてしまうとユーザが意図した以上に検索される施設が少なくなってしまい、適切な検索条件を入力することが煩わしくなるという問題があった。
【０００３】
また、このようなナビゲーション装置には、ユーザの現在位置を基準にして所定の範囲内に存在する施設を検索する機能（以下、「周辺検索機能」という）を備えたものも多い。さらには、ユーザの現在位置から目的地までの推奨移動経路を探索し、探索された経路上であって現在位置と目的地との間の交差点の中から現在位置に近い交差点を検索し、検索された交差点の近傍に存在する施設を検索し、検索結果に応じて施設情報を出力するナビゲーション装置も提案されている（特許文献１参照）。
【先行技術文献】
【特許文献】
【０００４】
【特許文献１】特開２００６−７８４３０号公報
【発明の概要】
【発明が解決しようとする課題】
【０００５】
しかしながら、上述した従来のナビゲーション装置では、施設を検索したいというユーザの要求を受け付けることにより検索が実行されるので、ユーザが検索指示を行わないと、ユーザの嗜好に合った施設が周辺検索などにより検索できる範囲内に存在していた場合であってもその存在を見落としてしまい利便性に欠ける。また、上述した従来のナビゲーション装置では、経路探索により探索された経路近傍の施設に係る施設情報が出力されるに過ぎないため、現在位置周辺の施設の存在をユーザに適切に報知することができないという問題があった。
【０００６】
本発明は、上述した問題を解決すべく、ユーザ周辺の施設の存在をそのユーザに対して積極的かつ適切に報知することができるようにすることを目的とする。
【課題を解決するための手段】
【０００７】
本発明のナビゲーション装置は、表示装置の表示画面における地図上に移動体の現在位置を表示して前記移動体を目的地まで誘導するナビゲーション装置であって、道路情報を含む地図情報を記憶する地図情報記憶手段と、案内対象物を示すＰＯＩ情報を記憶するＰＯＩ情報記憶手段と、前記移動体の現在位置を検出する位置検出手段と、該位置検出手段によって検出された前記現在位置に基づいて基準位置を決定する基準位置決定手段と、該基準位置決定手段によって決定された前記基準位置から所定範囲内に存在する案内対象物を示すＰＯＩ情報を検索するＰＯＩ情報検索手段と、該ＰＯＩ情報検索手段によって検索されたＰＯＩ情報が示す案内対象物を特定可能な案内対象物特定情報を含む案内情報を、当該案内対象物が存在する位置が前記基準位置から見ていずれの方向にあるかを識別可能に前記表示画面に表示する案内情報表示手段とを含むことを特徴とする。
【０００８】
上記の構成としたことで、ユーザ周辺の施設の存在をそのユーザに対して積極的かつ適切に報知することができるようになる。
【０００９】
前記移動体の進行方向を特定する進行方向特定手段を含み、前記基準位置決定手段は、前記進行方向特定手段により特定された進行方向から前記移動体の進行方向に存在する分岐点を特定して前記基準位置として決定し、前記ＰＯＩ情報検索手段は、前記基準位置決定手段によって前記基準位置として決定された分岐点から進行可能な道路を特定する進行可能道路特定手段を有し、該進行可能道路特定手段によって特定された進行可能道路から所定の範囲内に存在する案内対象物を示すＰＯＩ情報を検索する構成としてもよい。
【００１０】
前記基準位置決定手段は、前記移動体の進行方向に存在する分岐点が所定の範囲内に存在する場合に当該分岐点を基準位置として決定する構成としてもよい。
【００１１】
前記案内情報表示手段によって表示された案内情報を示す案内履歴情報を記憶する案内履歴情報記憶手段と、案内履歴情報表示要求を受け付ける案内履歴情報表示要求受付手段と、該案内履歴情報表示要求受付手段によって案内履歴情報表示要求を受け付けたことに応じて、前記案内履歴情報によって特定されるＰＯＩ情報を抽出するＰＯＩ情報抽出手段と、該ＰＯＩ情報抽出手段により抽出されたＰＯＩ情報を表示するＰＯＩ情報表示手段とを含む構成としてもよい。
【００１２】
前記基準位置決定手段は、前記位置検出手段によって検出された移動体の現在位置を基準位置に決定し、前記案内情報表示手段は、前記基準位置から見て所定の複数方向側それぞれに存在する案内対象物を特定可能なそれぞれの案内対象物特定情報を前記複数方向別にそれぞれ含む各方向毎の案内情報を、前記基準位置から見た各方向側にそれぞれ表示する構成としてもよい。
【００１３】
前記案内情報表示手段は、案内対象物特定情報と、該案内対象物特定情報によって特定される案内対象物が存在する位置が前記基準位置から見ていずれの方向にあるかを識別可能な存在位置識別情報とを含む案内情報を前記表示画面に表示する構成としてもよい。
【００１４】
前記基準位置決定手段は、前記所定の範囲内に存在する分岐点が複数ある場合に、該複数の分岐点間の距離が特定の距離以内であれば当該複数の分岐点を関連分岐点として特定し、前記案内情報表示手段は、前記基準位置決定手段により関連分岐点として特定された複数の分岐点に関する案内情報を表示画面に表示する構成としてもよい。
【００１５】
前記道路情報は、道路と分岐点とにそれぞれ複数の種別が設定された情報であり、前記基準位置決定手段は、前記位置検出手段により検出された前記移動体の現在位置と前記道路情報とを参照して前記移動体の現在位置が特定の道路上であるか否か確認し、特定の道路上であった場合には、特定の道路種別に対応する種別が設定された分岐点を基準位置として決定する構成としてもよい。
【００１６】
前記ＰＯＩ情報の案内禁止条件を記憶する案内禁止条件記憶手段を有し、前記ＰＯＩ情報検索手段は、前記案内禁止条件を満たすＰＯＩ情報以外のＰＯＩ情報を検索する構成としてもよい。
【００１７】
また、本発明のナビゲーション方法は、表示装置の表示画面における地図上に移動体の現在位置を表示して前記移動体を目的地まで誘導するナビゲーション方法であって、前記移動体の現在位置を検出する位置検出処理と、該位置検出処理にて検出した前記現在位置に基づいて基準位置を決定する基準位置決定処理と、案内対象物を示すＰＯＩ情報を記憶するＰＯＩ情報ＤＢに記憶された当該ＰＯＩ情報の中から、前記基準位置決定処理にて決定された前記基準位置から所定範囲内に存在する案内対象物を示すＰＯＩ情報を検索するＰＯＩ情報検索処理と、該ＰＯＩ情報検索処理にて検索したＰＯＩ情報が示す案内対象物を特定可能な案内対象物特定情報を含む案内情報を、当該案内対象物が存在する位置が前記基準位置から見ていずれの方向にあるかを識別可能に前記表示画面に表示する案内情報表示処理とを含むことを特徴とする。
【００１８】
さらに、本発明のナビゲーションプログラムは、表示装置の表示画面における地図上に移動体の現在位置を表示して前記移動体を目的地まで誘導させるためのナビゲーションプログラムであって、コンピュータに、前記移動体の現在位置を検出する位置検出処理と、該位置検出処理にて検出した前記現在位置に基づいて基準位置を決定する基準位置決定処理と、案内対象物を示すＰＯＩ情報を記憶するＰＯＩ情報ＤＢに記憶された当該ＰＯＩ情報の中から、前記基準位置決定処理にて決定された前記基準位置から所定範囲内に存在する案内対象物を示すＰＯＩ情報を検索するＰＯＩ情報検索処理と、該ＰＯＩ情報検索処理にて検索したＰＯＩ情報が示す案内対象物を特定可能な案内対象物特定情報を含む案内情報を、当該案内対象物が存在する位置が前記基準位置から見ていずれの方向にあるかを識別可能に前記表示画面に表示する案内情報表示処理とを実行させるためのものである。
【発明の効果】
【００１９】
本発明によれば、ユーザ周辺の施設の存在をそのユーザに対して積極的かつ適切に報知することができるようになる。
【図面の簡単な説明】
【００２０】
【図１】本発明に係るナビゲーション装置を用いたナビゲーションシステムの一例を示す概略図である。
【図２】本発明に係るナビゲーション装置の構成の例を示すブロック図である。
【図３】本発明に係るナビゲーション装置が備えるＰＯＩ情報記憶部に記憶されているＰＯＩ情報の格納状態の例を示す説明図である。
【図４】本発明に係るナビゲーション装置が備える案内プレート情報記憶部に記憶されている案内プレート情報の格納状態の例を示す説明図である。
【図５】本発明に係るナビゲーション装置が備える案内履歴情報記憶部に記憶されている案内履歴情報の格納状態の例を示す説明図である。
【図６】本例における案内プレートの概念を説明するための説明図である。
【図７】本例における案内プレートの概念を説明するための説明図である。
【図８】本例における案内プレート表示処理の例を示すフローチャートである。
【図９】案内プレートを表示したときの表示画面の例を示す説明図である。
【図１０】案内プレートの表示形態の例を説明するための説明図である。
【図１１】案内プレートの表示形態の例を説明するための説明図である。
【図１２】案内プレートの表示形態の例を説明するための説明図である。
【図１３】本例における案内履歴情報表示処理の例を示すフローチャートである。
【図１４】ＰＯＩ情報の検索範囲の決定方法を説明するための説明図である。
【図１５】案内プレートの表示形態の例を説明するための説明図である。
【発明を実施するための形態】
【００２１】
以下、本発明の一実施の形態について図面を参照して説明する。
【００２２】
図１は、本発明に係るナビゲーション装置１０を用いた経路誘導システム（ナビゲーションシステム）の一例を示す概略図である。図１に示すように、本例の経路誘導システムは、ナビゲーション装置１０と、自車位置測位装置２０と、出力装置３０と、入力装置４０とを含む。
【００２３】
自車位置測位装置２０は、移動体（以下、「車両」を例に説明する。この「移動体」は、ナビゲーション装置１０自体や、このナビゲーション装置１０とともに移動する車両や人間などの物体を含む概念である。）の現在位置を測定する装置であり、ＧＰＳ衛星から送られてくるＧＰＳ信号を受信し、このＧＰＳ信号に基づいて位置を測定するＧＰＳセンサや、初期位置から移動量（距離）を計測する速度センサ、進行（移動）方位を計測するジャイロセンサなどからなる。
【００２４】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を算出する。
【００２５】
また、自車位置測位装置２０は、車両に搭載されており、ＧＰＳ信号を受信するＧＰＳ受信機（アンテナ）の他、受信したＧＰＳ信号のデコードなどの処理を行い、ナビゲーション装置１０へ出力する信号処理部を備える。
【００２６】
出力装置３０は、ナビゲーション装置１０からの経路誘導情報などを出力する装置であり、例えば画像情報を表示する画像表示部（ディスプレイ装置、モニタ）３１と、音声情報を音声出力する音声出力装置（スピーカ装置）３２とを含む。画像表示装置３１は、地図情報と車両の現在位置情報とを表示画面上に表示するとともに、目的地までの最適な誘導経路を表示画面上に併せて表示することで、視覚によって移動経路の道順を報知する。また、音声出力装置３２は、案内音声情報を音声出力することで、聴覚によって移動経路の道順を報知する。
【００２７】
入力装置４０は、ナビゲーション装置１０に対して各種の指示を行うための装置である。本例では、入力装置４０は、例えば出力装置３０の表示画面上に表示される操作ボタンによって構成される。
【００２８】
ナビゲーション装置１０は、例えば、モバイルタイプのパーソナルコンピュータ、ＰＮＤ（Ｐｏｒｔａｂｌｅ  Ｎａｖｉｇａｔｉｏｎ  Ｄｅｖｉｃｅ）や専用デバイスなどの情報処理装置によって構成される。ナビゲーション装置１０は、ＣＰＵ（中央処理装置）、プログラム記憶部、ＯＳ（オペレーティング・システム）、等を有する。ＣＰＵは、プログラム記憶部に記憶されたコンピュータプログラムに従い、ナビゲーション装置１０の各構成要素を統制制御し、経路探索処理や経路誘導処理、情報検索処理を含む各種の処理を実行する機能を有する。プログラム記憶部は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成され、ナビゲーション装置１０が使用する各種コンピュータプログラムを記憶する記憶媒体である。
【００２９】
図２は、本例におけるナビゲーション装置１０の構成例を示すブロック図である。ナビゲーション装置１０は、図２に示すように、記憶部Ｆと、経路探索部１１と、自車位置情報受付部１２と、方位情報受付部１３と、基準位置決定部１４と、ＰＯＩ（Ｐｏｉｎｔ  Ｏｆ  Ｉｎｔｅｒｅｓｔ）情報検索部１５と、案内プレート作成部１６と、ＰＯＩ情報案内部１７と、制御部Ｃとを含む。なお、ナビゲーション装置１０を構成する各部は、制御信号やデータ等を伝送するバスＢに接続されている。
【００３０】
経路探索部１１は、出発位置（例えば、現在位置）から目的地までの誘導経路を導出する経路探索処理を行う。経路探索処理では、例えば、ユーザからの目的地情報の入力を受け付けて、受け付けた目的地情報に基づいて目的地の位置情報を特定し、この目的地を参照して現在位置から目的地までの誘導経路を導出するとともに、導出した誘導経路を含む道路地図からなる移動経路周辺地図を生成する処理を行う。なお、経路探索処理については公知の技術を用いるので、ここでの詳細な説明は省略する。
【００３１】
自車位置情報受付部１２は、車両の現在位置情報を受け付けるための処理を行う。ここで、現在位置は、例えば緯度と経度により示される。本例においては、自車位置測位装置２０により測定された現在位置情報を受け付けるものとする。
【００３２】
方位情報受付部１３は、自車位置測位装置２０から、車両の進行方向を特定する方位情報を受け付ける。
【００３３】
基準位置決定部１４は、後述する案内プレート表示処理においてＰＯＩ情報の検索範囲を決定するための基準位置を決定する機能を有する。本例においては、車両の現在位置と進行方向とに応じて、車両が道なりに走行した場合に到達する交差点（以下、「分岐点」という。）を基準位置として決定し（以下、基準位置として決定した分岐点を「案内分岐点」という。）、案内分岐点の名称やノードＩＤ、および道路形状などの案内分岐点に関する情報を案内プレート情報記憶部Ｆ４に記憶する機能を有する。
【００３４】
なお、基準位置として決定する分岐点を複数選択するようにしてもよい。この場合、車両の走行速度などに基づいて、車両が所定の時間内に到達することが見込まれる範囲に存在する分岐点や、現在位置から所定距離内に位置する分岐点などを基準位置として決定するようにすればよい。また、基準位置として自車位置や所定の施設を選択する構成としてもよい。
【００３５】
ＰＯＩ情報検索部１５は、ＰＯＩ情報記憶部Ｆ３を参照して、基準位置決定部１４により決定された基準位置から所定の範囲内に存在する施設などを示すＰＯＩ情報を検索し、検索結果を案内プレート情報記憶部Ｆ４に記憶する機能を有する。本例においては、ＰＯＩ情報検索部１５は、ＰＯＩ情報の範囲として、案内分岐点から進行可能な道路（以下、進行可能道路という。）を特定して所定の距離や所定のリンク数などで区切ることにより検索対象とする道路区間を特定し、それぞれ特定された道路区間から道なりで接続されている道路区間を特定しつつ、道路区間周辺に位置する施設などを検索範囲とする。なお、検索範囲の決定方法としては、例えば、ＰＯＩ情報記憶部Ｆ３にて各ＰＯＩ情報に道路区間を対応づけて管理し、特定された道路区間と関係付けられた施設を検索する構成としてもよいし、特定された道路区間から所定距離幅内のような所定の範囲にある施設を検索する構成としてもよい。
【００３６】
ここで、本例において、案内分岐点から進行可能な道路は、道路情報として予め記憶されているものとする。すなわち、本例における道路情報は、例えば複数のレーンを含む道路におけるレーンごとの進行可能方向を示す情報などを有していることとする。
【００３７】
案内プレート作成部１６は、案内分岐点の道路形状とＰＯＩ情報検索部１５の検索結果とに応じて、ユーザの現在位置と進行方向を基準にして各方面に存在する施設などの名称を、各道路区間と対応付けした形態でユーザに報知するための案内プレートを作成する機能を有する。これにより、施設などの存在する位置が基準位置から見ていずれの方向にあるかが識別可能となる。案内プレートについては、後で詳しく説明する。
【００３８】
ＰＯＩ情報案内部１７は、画像表示装置３１の表示画面上に、基準位置決定部１４により決定された基準位置と、ＰＯＩ情報検索部１５により特定された道路区間や検索されたＰＯＩ情報が示す施設を、強調表示やアイコン表示などにより他の地図情報と識別可能となるように表示するための処理を行う。また、本例におけるＰＯＩ情報案内部１７は、案内プレート情報記憶部Ｆ４を参照して、車両が案内プレート情報の示す分岐点に対して所定の範囲以内に接近したことに応じて、所定の期間（例えば、案内プレートを表示してから分岐点を通過するまでや、他の案内プレートを表示する時機まで。）表示画面に案内プレートを表示する機能や、案内したＰＯＩ情報を案内履歴情報として案内履歴情報記憶部Ｆ５に記憶する機能を有する。
【００３９】
また、ＰＯＩ情報案内部１７は、ユーザによる案内履歴情報表示要求を受けつけたことに応じて案内履歴情報記憶部Ｆ５を参照し、所定の表示条件（例えば、１時間以内に表示した案内プレートに設定されたＰＯＩ情報。）にしたがってＰＯＩ情報を表示する機能など、ユーザに対して施設などを案内するための各種の機能を有する。
【００４０】
制御部Ｃは、ＣＰＵ（中央処理装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを具備し、記憶部Ｆに記憶されたコンピュータプログラム（ナビゲーションプログラム）に従い、ナビゲーション装置１０の各構成要素を統制制御し、その処理を実行する機能を有する。
【００４１】
記憶部Ｆは、ＲＯＭやＲＡＭ等で構成され、ナビゲーション装置１０が使用する各種コンピュータプログラムを記憶する記憶媒体である。本例における記憶部Ｆは、誘導経路情報記憶部Ｆ１と、地図情報記憶部Ｆ２と、ＰＯＩ情報記憶部Ｆ３と、案内プレート情報記憶部Ｆ４と、案内履歴情報記憶部Ｆ５とを含む。
【００４２】
なお、図示しないが、本例におけるナビゲーション装置１０は通信機能を備えており、記憶部Ｆに記憶される各種の情報は時期などに応じて更新可能であるものとする。
【００４３】
誘導経路情報記憶部Ｆ１は、経路探索部１１が導出した誘導経路を記憶する記憶媒体である。  
【００４４】
地図情報記憶部Ｆ２は、一定の経度幅と緯度幅で区切られた矩形状の範囲（メッシュ）に分割して地図情報を記憶する記憶媒体である。地図情報は、地図情報記憶部Ｆ２に記憶されるほか、例えばＳＤメモリカードと呼ばれるリムーバルメディアとしての補助記憶装置や、ＣＤ−ＲＯＭやＤＶＤ−ＲＯＭ等に保存することができる。また、インターネット等の通信ネットワークを介して地図情報をダウンロードするようにしてもよい。また、地図情報記憶部Ｆ２は、道路情報として、道路をノードとリンクで表して管理し、各道路に関して道路構成ノード情報と道路構成リンク情報とを位置情報と対応付けて記憶する。
【００４５】
ＰＯＩ情報記憶部Ｆ３は、ガソリンスタンドやコンビニエンスストア、ラーメン店、ホテル、旅館といった店舗情報、有名な施設を示す施設情報、行楽地を示す行楽地情報といった案内対象物（店舗、施設、行楽地など）を示すＰＯＩ情報を記憶する記憶媒体である。図３は、ＰＯＩ情報記憶部Ｆ３におけるＰＯＩ情報の格納状態の例を示す説明図である。図３に示すように、本例におけるＰＯＩ情報は、施設などの案内対象物を一意に特定するためのＰＯＩ−ＩＤと、施設などの案内対象物の名称と、住所と、緯度・経度と、電話番号と、人気ランキングなどが対応付けされた情報である。
【００４６】
案内プレート情報記憶部Ｆ４は、案内プレート作成部１７が案内プレートの作成に用いるための案内プレート情報を記憶する記憶媒体である。図４は、案内プレート情報記憶部Ｆ４における案内プレート情報の格納状態の例を示す説明図である。図４に示すように、案内プレート情報は、案内分岐点の名称と、ノードＩＤと、道路形状と、ＰＯＩ検索部１５により検索されたＰＯＩ情報とを含む情報である。ここで、案内プレート情報におけるＰＯＩ情報は、リンクＩＤで示される道路区間とＰＯＩ−ＩＤとが対応付けされた状態で記憶されているものとする。なお、本例において案内プレート情報は、基準位置決定部１４が地図情報記憶部Ｆ２とＰＯＩ情報記憶部Ｆ３とから必要な情報を読み出して案内プレート情報記憶部Ｆ４に記憶することにより作成される。
【００４７】
案内履歴情報記憶部Ｆ５は、ＰＯＩ情報案内部１７により案内したＰＯＩ情報を案内履歴情報として記憶する記憶媒体である。図５は、案内履歴情報記憶部Ｆ５における案内履歴情報の格納状態の例を示す説明図である。図５に示すように、案内履歴情報は、ＰＯＩ情報案内部１７により案内された案内プレート情報における案内分岐点名称と、案内した時刻（分岐点通過時刻）と、ＰＯＩ−ＩＤとを含む。
【００４８】
次に、本例における案内プレートの概念について説明する。図６と図７は、本例における案内プレートの概念を説明するための説明図である。図６において、車両の現在地をＰ、車両の進行方向に位置する分岐点をＡ，Ｂ、分岐点Ａ，Ｂから退出する方向の道路（進行可能道路）の周辺に存在する施設などの位置を示す案内アイコンをＳ１〜Ｓ９で示す。
【００４９】
車両が分岐点Ａに対して所定の距離以内に移動すると（例えば、図６における地点ＡＳ）、案内プレート作成部１６が、案内分岐点（図６における交差点Ａ）に応じた案内プレートを作成する処理を行う。
【００５０】
図７（Ａ）は、このときの案内プレートの例を示す説明図である。図７（Ａ）に示すように、案内プレートは、交差点Ａの道路形状に応じた矢印を表示する道路形状表示領域１０１と、案内アイコンが示す施設などの名称を道路形状表示領域１０１に表示された矢印のうち該当施設の存在位置を示す方向を向く矢印の近傍に表示するための施設名称表示領域１０２〜１０４と、分岐点Ａの名称を表示する分岐点名称表示領域１０５とを含む。
【００５１】
同様に、車両が案内分岐点である交差点Ｂに対して所定の距離以内に移動すると（例えば、図６における地点ＢＳ）、案内プレート作成部１６が、図７（Ｂ）のように交差点Ｂに応じた案内プレートを作成する処理を行う。
【００５２】
なお、案内プレートは、案内分岐点毎でなく、例えば図７（Ｃ）に示すように複数の案内分岐点を合わせた形態のものを作成する場合もあることとする。すなわち、例えば、複数の案内分岐点間の距離が特定の距離以内であるか否かを判定することにより案内プレートの形態を決定する。また、案内プレートとして、案内分岐点における進行可能道路毎に対応する施設などの名称を示したリストを作成し、表示画面に表示された進行可能道路との対応が識別可能となるように表示する構成としてもよい。
【００５３】
次に、本発明のナビゲーション装置１０の動作について図面を参照して説明する。なお、本発明に特に係わらない処理については、その詳細な説明を省略している場合がある。
【００５４】
図８は、ナビゲーション装置１０が実行する案内プレート表示処理の例を示すフローチャートである。案内プレート表示処理では、車両の進行方向に位置する分岐点からの各分岐方面（進行可能道路が向かう方面）に存在する施設を検索して案内するための処理が行われる。なお、ここでいう「案内」とは施設などの存在をユーザに紹介することが目的であり、必ずしも施設までユーザを誘導する必要はないものとする。
【００５５】
本例における案内プレート表示処理は、ナビゲーション装置１０の電源が入ったことに応じて自動的に開始される。なお、ナビゲーション装置１０における案内プレート表示処理は、例えばユーザが特定のボタンを押下したことを受け付けることにより停止される構成であるものとする。
【００５６】
案内プレート表示処理において、先ず、制御部Ｃは、自車位置情報受付部１２により現在位置情報を受け付けて、地図情報記憶部Ｆ２に記憶された地図情報を参照して車両が走行中の道路区間（ノードＩＤとリンクＩＤ）を特定する（ステップＳ１０１）。
【００５７】
走行中の道路区間を特定すると、制御部Ｃは、方位情報受付部１３により車両の進行方向を特定し、基準位置決定部１４により車両が道なりに所定距離走行した場合に通過または到着する分岐点があるか否かを判定する（ステップＳ１０２）。ここで、所定距離以内に分岐点がない場合（ステップＳ１０２のＮ）、制御部Ｃは、ステップＳ１０１に遷移する。
【００５８】
所定距離以内に分岐点がある場合（ステップＳ１０２のＹ）、制御部Ｃは、基準位置決定部１４により、所定距離以内に分岐点が複数あるか否かを判定する（ステップＳ１０３）。ここで、分岐点が１つの場合（ステップＳ１０３のＮ）、制御部Ｃは、この分岐点を案内分岐点として特定してステップＳ１０７に遷移する。
【００５９】
所定距離以内に分岐点が複数ある場合（ステップＳ１０３のＹ）、制御部Ｃは、各分岐点間の距離が特定の距離以内であるか否かを判定する（ステップＳ１０４）。ここで、各分岐点間の距離が特定の距離以内であると判定された場合（ステップＳ１０４のＹ）、制御部Ｃは基準位置決定部１４により複数の分岐点をそれぞれ関連した案内分岐点として特定する（ステップＳ１０５）。一方、各分岐点間の距離が特定の距離以内でないと判定された場合（ステップＳ１０４のＮ）、制御部Ｃは基準位置決定部１４により複数の分岐点を別々の案内分岐点として特定する（ステップＳ１０６）。
【００６０】
案内分岐点を特定すると、制御部Ｃは、基準位置決定部１４により地図情報記憶部Ｆ２を参照して案内分岐点に関する情報を案内プレート情報記憶部Ｆ４に記憶する（ステップＳ１０７）。
【００６１】
案内分岐点に関する情報を記憶すると、制御部Ｃは、ＰＯＩ情報検索部１５により、案内分岐点における進行可能道路を特定する（ステップＳ１０８）。
【００６２】
案内分岐点における進行可能道路を特定すると、制御部Ｃは、ＰＯＩ情報検索部１５により、特定した進行可能道路から所定の範囲内に存在する施設を示すＰＯＩ情報を案内プレート情報記憶部Ｆ４に記憶する（ステップＳ１０９）。
【００６３】
ＰＯＩ情報を記憶すると、制御部Ｃは、案内プレート作成部１６により案内プレートを作成して記憶部Ｆに記憶する（ステップＳ１１０）。このとき、関連した案内分岐点として記憶されたものに関しては、図７（Ｃ）のように、１つにまとめた案内プレートを作成する。
【００６４】
案内プレートを作成すると、制御部Ｃは、車両が案内分岐点に対して所定の距離以内に接近したか否かを判定する（ステップＳ１１１）。なお、ここでの「所定の距離」は、車両の移動速度などに応じて変更される構成としてもよい。また、案内分岐点毎に案内開始点を設定し、車両が案内開始点を通過したか否かを判定する構成としてもよい。
【００６５】
制御部Ｃは、車両が案内分岐点に対して所定の距離以内に接近したと判定すると（ステップＳ１１１のＹ）、表示画面に案内分岐点に対応する案内プレートを表示するための処理を行う（ステップＳ１１２）。
【００６６】
図９は、案内プレートを表示したときの表示画面の例を示す説明図である。図９に示すように、表示画面には地図情報表示領域の他、案内プレート表示領域２０１と、現在住所表示領域２０２とを含む各種の領域が設けられている。なお、案内プレート表示領域２０１に表示される案内プレートに対応する案内分岐点Ａ１の識別力を高めるために、アイコンを他の分岐点と識別可能な形態にしたり、案内プレートと案内分岐点との対応を指示線により示したりする構成としてもよい。
【００６７】
また、案内プレートの別の形態として、例えば図１０に示すように、案内分岐点Ａ１における進行可能道路毎に、車両が進行可能道路を進行した場合に向かうこととなる施設などの名称のリスト３０１〜３０３を表示する構成としてもよい。また、この場合、リストと進行可能道路の対応関係を明確にするために、例えば図１１に示すように、施設などの名称のリスト３０１〜３０３に対応する進行可能道路を指示線Ｄにより示す構成としてもよい。このような構成とすることにより、特殊な形状の道路があった場合などでも視認性が低下することを防止できる。また、案内プレートが意図しない表示となってしまった場合にもユーザを惑わすことがない。
【００６８】
さらに、案内プレートの別の形態として、図１２に示すように、案内分岐点から各施設への距離を表示する構成としてもよい。この場合、制御部Ｃが、案内プレート情報記憶部Ｆ４にＰＯＩ情報が記憶されたことに応じて、経路探索部１１により、案内交差点からＰＯＩ情報が示す施設などへの距離を算出して記憶する構成とすればよい。
【００６９】
なお、案内プレートで表示する施設などの名称は、案内分岐点からの距離順に並べて表示するようにしてもよいし、予めユーザにより表示優先度の設定を受け付ける構成としてもよい。
【００７０】
また、各ＰＯＩ情報の位置関係などにより、案内プレートの表示形態を変更してユーザが直感的に認識しやすいようにする構成としてもよい。すなわち、例えば施設を示す名称の文字サイズを、案内分岐点から遠くなる程小さくしたり、文字間隔を狭くしたりするようにしてもよい。また、案内プレートにおける施設名称の描画開始位置を、例えば車両の現在位置から見て右方向の案内プレートであれば、案内プレートにおける施設名称の表示領域において、案内分岐点や車両から近い位置に存在する施設の名称をより左側から、遠いものをより右側から描画する構成としてもよい。すなわち、案内プレートおける施設名称の表示領域において、施設名称の表示位置によりどの施設が現在位置に近いのかが容易に認識可能となるように表示するようにしてもよい。
【００７１】
また、案内プレートの形状を車両の進行方向を基準にして、例えば直進方向に位置する施設などを案内する案内プレートを台形に、左右方向に位置する施設などを案内する案内プレートを平行四辺形や左右どちらかの１辺が底辺に対して直角な台形にする構成としてもよい。
【００７２】
案内プレートを表示すると、制御部Ｃは、車両が案内分岐点を通過したか否かを判定する（ステップＳ１１３）。車両が案内分岐点を通過したと判定すると（ステップＳ１１３のＹ）、制御部Ｃは、ＰＯＩ情報案内部１７により表示画面から案内プレートを消去し（ステップＳ１１４）、消去した案内プレートが有していた情報を案内履歴情報記憶部Ｆ５に記憶して案内履歴情報を更新し（ステップＳ１１５）、ステップＳ１０１に遷移する。
【００７３】
一方、車両が案内分岐点に対して所定の距離以内に接近していないと判定した場合（ステップＳ１１１のＮ）、制御部Ｃは、車両が走行中の道路区間が変更されたか否かを判定する（ステップＳ１１６）。走行中の道路区間が変更されていないと判定した場合（ステップＳ１１６のＮ）、制御部Ｃは、ステップＳ１１１に遷移する。ここで、走行中の道路区間が変更されたと判定した場合（ステップＳ１１６のＹ）、制御部Ｃは、ステップＳ１０１に遷移して車両が走行中の道路区間を特定する。なお、このとき既に作成していた案内プレートは、その情報を削除する構成としてもよいし、案内履歴情報として、１度表示画面に表示された案内プレートと識別可能な状態で記憶する構成としてもよい。
【００７４】
次に、ナビゲーション装置１０が実行する案内履歴情報表示処理について説明する。
【００７５】
図１３は、案内履歴情報表示処理の例を示すフローチャートである。案内履歴情報表示処理では、車両が案内交差点を通過したことにより案内が終わったＰＯＩ情報を再度読み出すための処理が実行される。
【００７６】
本例における案内履歴情報表示処理は、例えば入力装置４０を介してユーザの操作を受け付けたことに応じて開始される。
【００７７】
案内履歴情報表示処理では、先ず、制御部Ｃは、例えば表示条件入力画面を表示画面に表示することにより案内履歴情報の表示条件の入力を受け付ける（ステップＳ２０１）。ここで、表示条件としては、例えば、「何時間前までに案内プレートにより表示した施設名称に対応するＰＯＩ情報を表示する。」といった内容の条件を受け付けることとする。なお、表示条件を受け付けずに、過去に表示した全ての施設名称に対応するＰＯＩ情報の一部をリスト化して表示する構成としてもよい。
【００７８】
案内履歴情報の表示条件を受け付けると（ステップＳ２０１のＹ）、制御部Ｃは、案内履歴情報記憶部Ｆ５を参照して、受け付けた表示条件を満たす案内履歴情報を抽出する処理を行う（ステップＳ２０２）。
【００７９】
案内履歴情報を抽出すると、制御部Ｃは、ＰＯＩ情報記憶部Ｆ３に記憶されたＰＯＩ情報のうち、案内履歴情報におけるＰＯＩ−ＩＤが示すＰＯＩ情報の一覧画面（例えば、名称一覧画面）を表示するための処理を行う（ステップＳ２０３）。
【００８０】
ＰＯＩ情報の一覧画面を表示すると、制御部Ｃは、表示画面上に表示している地図上に位置する施設を示すＰＯＩ情報があるか否かを判定する（ステップＳ２０４）。
【００８１】
表示中の地図上に位置する施設を示すＰＯＩ情報があると判定すると（ステップＳ２０４のＹ）、制御部Ｃは、ＰＯＩ情報に応じた位置から指示線を表示し、その近傍に施設の名称やアイコンを表示して（ステップＳ２０５）、ここでの処理を終了する。
【００８２】
以上のように、上述した実施の形態においては、表示装置（例えば画像表示装置３１）の表示画面における地図上に移動体（例えば車両）の現在位置を表示して移動体を目的地まで誘導するナビゲーション装置１０が、道路情報を含む地図情報を記憶する地図情報記憶部Ｆ２と、案内対象物を示すＰＯＩ情報を記憶するＰＯＩ情報記憶部Ｆ３とを備え、移動体の現在位置を検出し、検出した現在位置に基づいて基準位置を決定し、決定した基準位置から所定範囲内に存在する案内対象物を示すＰＯＩ情報を検索し、検索したＰＯＩ情報が示す案内対象物を特定可能な案内対象物特定情報（例えば施設名称）を含む案内情報（例えば案内プレート）を、その案内対象物が存在する位置が基準位置から見ていずれの方向にあるかを識別可能に表示画面に表示する構成としているので、移動体（例えばユーザ、車両）周辺の案内対象物（例えば施設）の存在をユーザに対して積極的かつ適切に報知することができるようなる。
【００８３】
すなわち、ユーザが施設などの検索を行うためにナビゲーション装置を操作しなくても、時期や移動体の位置に応じたＰＯＩ情報を積極的にユーザに紹介することができるようになる。このため、ユーザにとっては煩わしい操作をせずに情報を取得でき、自己の嗜好に合った施設などの存在を見逃すことがなくなるため利便性が向上する。一方、企業などの情報の提供者側にとっても、今まで検索されないと表示できなかった施設を積極的に提示できるようになり、時期や嗜好に応じた自社のコンテンツ特性を活かせるようになるため利便性が向上する。
【００８４】
また、案内情報（例えば案内プレート）を、案内対象物が存在する位置が基準位置から見ていずれの方向にあるかを識別可能に表示画面に表示する構成としているので、案内対象物が基準位置（例えば現在位置、前方の交差点など）から見てどちらの方向に位置しているのかをユーザに対して案内することが可能となり、移動体（例えばユーザ、車両）周辺の案内対象物（例えば施設）の存在をユーザに対して適切に報知することができるようなる。
【００８５】
また、上述した実施の形態では、ナビゲーション装置１０が、移動体の進行方向を特定し、特定した進行方向から移動体の進行方向に存在する分岐点（例えば交差点）を特定して基準位置として決定し、基準位置として決定した分岐点から進行可能な道路を特定し、特定した進行可能道路から所定の範囲内に存在する案内対象物を示すＰＯＩ情報を検索する構成としているので、移動体の位置と進行方向を加味したアクセスしやすい施設などの案内対象物を案内することができるようになる。
【００８６】
また、上述した実施の形態では、ナビゲーション装置１０が、移動体の進行方向に存在する分岐点が所定の範囲内に存在する場合にその分岐点を基準位置として決定する構成としてもよい。このような構成とすることにより、移動体の現在位置を考慮した適切なタイミングで施設などの案内対象物の存在を案内することができるようになる。
【００８７】
また、上述した実施の形態では、ナビゲーション装置１０が、表示された案内情報を示す案内履歴情報を記憶する案内履歴情報記憶部Ｆ５を備え、案内履歴情報表示要求を受け付け、案内履歴情報表示要求を受け付けたことに応じて、案内履歴情報によって特定されるＰＯＩ情報を抽出し、抽出したＰＯＩ情報を表示する構成としているので、施設などの案内対象物の存在を見落としてしまった場合でも、ユーザにとって有用な情報を後から得る機会を提供することができるようになる。
【００８８】
また、上述した実施の形態では、ナビゲーション装置１０が、検出した移動体の現在位置を基準位置に決定し、基準位置から見て所定の複数方向側それぞれに存在する案内対象物を特定可能なそれぞれの案内対象物特定情報を複数方向別にそれぞれ含む各方向毎の案内情報を、基準位置から見た各方向側にそれぞれ表示する構成としているので、進行方向のイメージを容易にすることができるようになる。例えば、案内分岐点における進行可能道路を進んだ場合に向かうこととなる方向に著名な施設などの案内対象物を表示することが可能となり、案内対象物の存在位置に対してどのような向きに進行しているかのイメージが容易となる。
【００８９】
また、上述した実施の形態では、ナビゲーション装置１０が、案内対象物特定情報と、その案内対象物特定情報によって特定される案内対象物が存在する位置が基準位置から見ていずれの方向にあるかを識別可能な存在位置識別情報（例えば図９に示す矢印）とを含む案内情報を表示画面に表示する構成としているので、移動体（例えばユーザ、車両）周辺の案内対象物（例えば施設）の存在をユーザに対して積極的かつ適切に報知することができるようなる。
【００９０】
また、上述した実施の形態では、ナビゲーション装置１０が、所定の範囲内に存在する分岐点が複数ある場合に、複数の分岐点間の距離が特定の距離以内であればその複数の分岐点を関連分岐点として特定し、関連分岐点として特定した複数の分岐点に関する案内情報を表示画面に表示する構成としているので、分岐点間が短い場合にもユーザに対して視認性の良い案内を行うことができるようになる。
【００９１】
なお、上述した実施の形態では特に言及していないが、地図情報記憶部Ｆ２に記憶する地図情報には、道路と分岐点とにそれぞれ複数の種別が設定された道路情報が含まれており、基準位置決定部１４が、自車位置情報受付部１３が受け付けた移動体の現在位置と道路情報とを参照して移動体の現在位置が特定の道路上（例えば高速道路上）であるか否か確認し、特定の道路上であった場合には、特定の道路種別に対応する種別が設定された分岐点（例えば高速道路の出口）を基準位置として決定する構成としてもよい。これにより、例えば移動体が高速道路を走行中の場合に、次のインターチェンジで降りた場合の一般道路沿いに存在する施設などを案内することができるようになる。
【００９２】
なお、上述した実施の形態では特に言及していないが、ナビゲーション装置１０が、ＰＯＩ情報の案内禁止条件を記憶する案内禁止条件記憶部を備え、案内禁止条件を満たすＰＯＩ情報以外のＰＯＩ情報を検索し、その検索結果を表示画面上に表示する構成としてもよい。案内禁止条件は、あらかじめ設定されていてもよいし、ユーザからの指示に応じて設定されるようにしてもよい。この場合、ユーザからの指示に応じて設定される案内禁止条件としては、例えば自宅を中心とした所定範囲内に位置する案内対象物のＰＯＩ情報、自宅からの距離が所定距離以内に位置する案内対象物のＰＯＩ情報、自宅を含む市区町村の行政区画内に位置する案内対象物のＰＯＩ情報、自宅の行政区画に隣接する行政区界や指定された道路区間内に位置する案内対象物のＰＯＩ情報などが考えられる。このような構成とすることにより、例えばユーザの自宅周辺など、ユーザがよく知った土地での施設案内を行うことによりユーザに煩わしさなどの不快感を与えてしまうことを回避することができるようになる。
【００９３】
なお、上述した実施の形態では特に言及していないが、案内プレートを表示してから、ユーザによる施設名称の選択を受け付けて、受け付けた施設名称が示す施設に関する詳細情報を表示する構成としてもよい。この場合、例えば、案内プレートの表示中、制御部Ｃがユーザによる案内プレートに表示された施設の名称の押下を受け付けて、受け付けた施設名称に応じたＰＯＩ情報を検索し、画像や住所、営業時間、定休日、メニュー、評価情報、紹介文等を詳細情報として表示画面に表示する構成としてよい。このような構成とすることにより、検索メニューで文字列を入力することが無いのでユーザのストレスが軽減される。また、手間がかからず詳細情報が得られるため、気になったＰＯＩ情報へアクセスする機会が増える。
【００９４】
なお、上述した実施の形態では特に言及していないが、基準位置として例えば車両の現在位置など分岐点以外の位置を決定した場合には、ＰＯＩ情報の検索範囲は、例えば図１４に示すように、車両の現在位置Ｐを基準にして、距離と角度範囲により決定する構成とすればよい。また、図１４においては検索範囲を車両の現在位置を基準にして前方と左右方向の３つに分けているが、検索範囲はこれに限定されず、例えば車両から見て後方となる領域を検索範囲に含める構成としてもよいし、検索範囲をさらに細かく分ける構成としてもよい。
【００９５】
また、この場合、案内プレートの表示形態は、例えば図１５に示すように、車両の現在位置から見た場合に正対することとなるような形態で表示するようにしてもよい。
【００９６】
なお、分岐点の有無にかかわらず、車両が走行中の道路と、進行方向から予想される予想走行道路との道路沿いに存在する施設を示すＰＯＩ情報を検索し、検索結果を表示する構成としてもよい。この場合、表示するＰＯＩ情報のジャンルを限定したり、表示する検索結果をユーザの希望に応じた順序に並べたりするようにしてもよい。なお、ここでいう「道路沿い」と判断する条件としては、対象となる道路から即アクセスできることを条件としたり、対象となる道路を中心とした特定の距離の帯状の範囲に存在することを条件としたりすることなどが考えられる。
【００９７】
なお、上述した実施の形態では特に言及していないが、ユーザに対して案内するＰＯＩ情報の優先度の決定方法として、ユーザの嗜好を反映する構成してもよい。この場合、例えば直接ユーザによる表示優先度の設定を受け付けるほか、過去にユーザが検索した施設のジャンルを記憶したり、案内プレートを表示したときやユーザが移動を終了したときにそれまで表示した案内プレートに対するユーザの評価を受け付けて記憶したりすることで、次回の表示優先度の設定に反映できる構成とすればよい。
【産業上の利用可能性】
【００９８】
本発明は、車両の進路案内を実現するデバイスを扱う業種において産業上有用であり、電子地図の表示が可能なカーナビゲーション装置等の電化製品市場においても有用である。
【符号の説明】
【００９９】
Ｆ１    誘導経路情報記憶部
Ｆ２    地図情報記憶部  
Ｆ３    ＰＯＩ情報記憶部
Ｆ４    案内プレート情報記憶部
Ｆ５    案内履歴情報記憶部
１０    ナビゲーション装置
１１    経路探索部
１２    自車位置情報受付部
１３    方位情報受付部
１４    基準位置決定部
１５    ＰＯＩ情報検索部
１６    案内プレート作成部
１７    ＰＯＩ情報案内部
２０    自車位置測位装置
３０    出力装置
３１    画像表示装置
３２    音声出力装置
４０    入力装置
【図１】
2011033543.tif 000003
【図２】
2011033543.tif 000004
【図３】
2011033543.tif 000005
【図４】
2011033543.tif 000006
【図５】
2011033543.tif 000007
【図６】
2011033543.tif 000008
【図７】
2011033543.tif 000009
【図８】
2011033543.tif 000010
【図１３】
2011033543.tif 000011
【図１４】
2011033543.tif 000012
【図９】
2011033543.tif 000013
【図１０】
2011033543.tif 000014
【図１１】
2011033543.tif 000015
【図１２】
2011033543.tif 000016
【図１５】
2011033543.tif 000017
【手続補正書】
【提出日】平成21年10月28日(2009.10.28)
【手続補正１】
【補正対象書類名】明細書
【補正対象項目名】０００７
【補正方法】変更
【補正の内容】
【０００７】
本発明のナビゲーション装置は、表示装置の表示画面における地図上に移動体の現在位置を表示して前記移動体を目的地まで誘導するナビゲーション装置であって、道路情報を含む地図情報を記憶する地図情報記憶手段と、案内対象物を示すＰＯＩ情報を記憶するＰＯＩ情報記憶手段と、前記移動体の進行方向を特定する進行方向特定手段と、前記移動体の現在位置を検出する位置検出手段と、該位置検出手段によって検出された前記現在位置と前記進行方向特定手段により特定された進行方向とから前記移動体の進行方向に存在する分岐点を特定し、前記移動体の進行方向に存在する分岐点が所定の範囲内に存在する場合に当該分岐点を基準位置として決定する基準位置決定手段と、該基準位置決定手段によって決定された前記基準位置から所定範囲内に存在する案内対象物を示すＰＯＩ情報を検索するＰＯＩ情報検索手段と、該ＰＯＩ情報検索手段によって検索されたＰＯＩ情報が示す案内対象物を特定可能な案内対象物特定情報を含む案内情報を作成する案内情報作成手段と、前記移動体が移動している道路区間が変更されることなく当該移動体が前記基準位置に対して所定の距離以内に接近したときに、前記案内情報作成手段によって作成された案内情報を当該案内対象物が存在する位置が前記基準位置から見ていずれの方向にあるかを識別可能に前記表示画面に表示する案内情報表示手段と、前記案内情報作成手段によって作成された案内情報を、前記案内情報表示手段によって表示されたか否かを識別可能に、案内履歴情報として記憶する案内履歴情報記憶手段と、案内履歴情報表示要求を受け付ける案内履歴情報表示要求受付手段と、該案内履歴情報表示要求受付手段によって案内履歴情報表示要求を受け付けたことに応じて、前記案内履歴情報によって特定されるＰＯＩ情報を抽出するＰＯＩ情報抽出手段と、該ＰＯＩ情報抽出手段により抽出されたＰＯＩ情報を表示するＰＯＩ情報表示手段とを含み、前記ＰＯＩ情報検索手段は、前記基準位置決定手段によって前記基準位置として決定された分岐点から進行可能な道路を特定する進行可能道路特定手段を有し、該進行可能道路特定手段によって特定された進行可能道路から所定の範囲内に存在する案内対象物を示すＰＯＩ情報を検索することを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
表示装置の表示画面における地図上に移動体の現在位置を表示して前記移動体を目的地まで誘導するナビゲーション装置であって、
道路情報を含む地図情報を記憶する地図情報記憶手段と、
案内対象物を示すＰＯＩ情報を記憶するＰＯＩ情報記憶手段と、
前記移動体の進行方向を特定する進行方向特定手段と、
前記移動体の現在位置を検出する位置検出手段と、
該位置検出手段によって検出された前記現在位置と前記進行方向特定手段により特定された進行方向とから前記移動体の進行方向に存在する分岐点を特定し、前記移動体の進行方向に存在する分岐点が所定の範囲内に存在する場合に当該分岐点を基準位置として決定する基準位置決定手段と、
該基準位置決定手段によって決定された前記基準位置から所定範囲内に存在する案内対象物を示すＰＯＩ情報を検索するＰＯＩ情報検索手段と、
該ＰＯＩ情報検索手段によって検索されたＰＯＩ情報が示す案内対象物を特定可能な案内対象物特定情報を含む案内情報を作成する案内情報作成手段と、
前記移動体が移動している道路区間が変更されることなく当該移動体が前記基準位置に対して所定の距離以内に接近したときに、前記案内情報作成手段によって作成された案内情報を当該案内対象物が存在する位置が前記基準位置から見ていずれの方向にあるかを識別可能に前記表示画面に表示する案内情報表示手段と、
前記案内情報作成手段によって作成された案内情報を、前記案内情報表示手段によって表示されたか否かを識別可能に、案内履歴情報として記憶する案内履歴情報記憶手段と、
案内履歴情報表示要求を受け付ける案内履歴情報表示要求受付手段と、
該案内履歴情報表示要求受付手段によって案内履歴情報表示要求を受け付けたことに応じて、前記案内履歴情報によって特定されるＰＯＩ情報を抽出するＰＯＩ情報抽出手段と、
該ＰＯＩ情報抽出手段により抽出されたＰＯＩ情報を表示するＰＯＩ情報表示手段とを含み、
前記ＰＯＩ情報検索手段は、
前記基準位置決定手段によって前記基準位置として決定された分岐点から進行可能な道路を特定する進行可能道路特定手段を有し、
該進行可能道路特定手段によって特定された進行可能道路から所定の範囲内に存在する案内対象物を示すＰＯＩ情報を検索する
ことを特徴とするナビゲーション装置。
【請求項２】
前記案内情報表示手段は、案内対象物特定情報と、該案内対象物特定情報によって特定される案内対象物が存在する位置が前記基準位置から見ていずれの方向にあるかを識別可能な存在位置識別情報とを含む案内情報を前記表示画面に表示する
請求項１記載のナビゲーション装置。
【請求項３】
前記基準位置決定手段は、前記所定の範囲内に存在する分岐点が複数ある場合に、該複数の分岐点間の距離が特定の距離以内であれば当該複数の分岐点を関連分岐点として特定し、
前記案内情報表示手段は、前記基準位置決定手段により関連分岐点として特定された複数の分岐点に関する案内情報を表示画面に表示する
請求項２記載のナビゲーション装置。
【請求項４】
前記道路情報は、道路と分岐点とにそれぞれ複数の種別が設定された情報であり、
前記基準位置決定手段は、前記位置検出手段により検出された前記移動体の現在位置と前記道路情報とを参照して前記移動体の現在位置が特定の道路上であるか否か確認し、特定の道路上であった場合には、特定の道路種別に対応する種別が設定された分岐点を基準位置として決定する
請求項１から請求項３のうちいずれかに記載のナビゲーション装置。
【請求項５】
前記ＰＯＩ情報の案内禁止条件を記憶する案内禁止条件記憶手段を有し、
前記ＰＯＩ情報検索手段は、前記案内禁止条件を満たすＰＯＩ情報以外のＰＯＩ情報を検索する
請求項１から請求項４のうちいずれかに記載のナビゲーション装置。
【請求項６】
表示装置の表示画面における地図上に移動体の現在位置を表示して前記移動体を目的地まで誘導するナビゲーション方法であって、
前記移動体の進行方向を特定する進行方向特定処理と、
前記移動体の現在位置を検出する位置検出処理と、
該位置検出処理によって検出した前記現在位置と前記進行方向特定処理により特定した進行方向とから前記移動体の進行方向に存在する分岐点を特定し、前記移動体の進行方向に存在する分岐点が所定の範囲内に存在する場合に当該分岐点を基準位置として決定する基準位置決定処理と、
案内対象物を示すＰＯＩ情報を記憶するＰＯＩ情報ＤＢに記憶された当該ＰＯＩ情報の中から、前記基準位置決定処理にて決定された前記基準位置から所定範囲内に存在する案内対象物を示すＰＯＩ情報を検索するＰＯＩ情報検索処理と、
該ＰＯＩ情報検索処理にて検索したＰＯＩ情報が示す案内対象物を特定可能な案内対象物特定情報を含む案内情報を作成する案内情報作成処理と、
前記移動体が移動している道路区間が変更されることなく当該移動体が前記基準位置に対して所定の距離以内に接近したときに、前記案内情報作成処理にて作成した案内情報を当該案内対象物が存在する位置が前記基準位置から見ていずれの方向にあるかを識別可能に前記表示画面に表示する案内情報表示処理と、
前記案内情報作成処理にて作成した案内情報を、前記案内情報表示処理にて表示したか否かを識別可能に、案内履歴情報として記憶する案内履歴情報記憶処理と、
案内履歴情報表示要求を受け付ける案内履歴情報表示要求受付処理と、
該案内履歴情報表示要求受付処理にて案内履歴情報表示要求を受け付けたことに応じて、前記案内履歴情報によって特定されるＰＯＩ情報を抽出するＰＯＩ情報抽出処理と、
該ＰＯＩ情報抽出処理にて抽出したＰＯＩ情報を表示するＰＯＩ情報表示処理とを含み、
前記ＰＯＩ情報検索処理にて、
前記基準位置決定処理にて前記基準位置として決定した分岐点から進行可能な道路を特定する進行可能道路特定処理を行い、
該進行可能道路特定処理にて特定した進行可能道路から所定の範囲内に存在する案内対象物を示すＰＯＩ情報を検索する処理を行う
ことを特徴とするナビゲーション方法。
【請求項７】
表示装置の表示画面における地図上に移動体の現在位置を表示して前記移動体を目的地まで誘導させるためのナビゲーションプログラムであって、
コンピュータに、
前記移動体の進行方向を特定する進行方向特定処理と、
前記移動体の現在位置を検出する位置検出処理と、
該位置検出処理によって検出した前記現在位置と前記進行方向特定処理により特定した進行方向とから前記移動体の進行方向に存在する分岐点を特定し、前記移動体の進行方向に存在する分岐点が所定の範囲内に存在する場合に当該分岐点を基準位置として決定する基準位置決定処理と、
案内対象物を示すＰＯＩ情報を記憶するＰＯＩ情報ＤＢに記憶された当該ＰＯＩ情報の中から、前記基準位置決定処理にて決定された前記基準位置から所定範囲内に存在する案内対象物を示すＰＯＩ情報を検索するＰＯＩ情報検索処理と、
該ＰＯＩ情報検索処理にて検索したＰＯＩ情報が示す案内対象物を特定可能な案内対象物特定情報を含む案内情報を作成する案内情報作成処理と、
前記移動体が移動している道路区間が変更されることなく当該移動体が前記基準位置に対して所定の距離以内に接近したときに、前記案内情報作成処理にて作成した案内情報を当該案内対象物が存在する位置が前記基準位置から見ていずれの方向にあるかを識別可能に前記表示画面に表示する案内情報表示処理と、
前記案内情報作成処理にて作成した案内情報を、前記案内情報表示処理にて表示したか否かを識別可能に、案内履歴情報として記憶する案内履歴情報記憶処理と、
案内履歴情報表示要求を受け付ける案内履歴情報表示要求受付処理と、
該案内履歴情報表示要求受付処理にて案内履歴情報表示要求を受け付けたことに応じて、前記案内履歴情報によって特定されるＰＯＩ情報を抽出するＰＯＩ情報抽出処理と、
該ＰＯＩ情報抽出処理にて抽出したＰＯＩ情報を表示するＰＯＩ情報表示処理とを実行させ、
前記ＰＯＩ情報検索処理にて、
前記基準位置決定処理にて前記基準位置として決定した分岐点から進行可能な道路を特定する進行可能道路特定処理と、
該進行可能道路特定処理にて特定した進行可能道路から所定の範囲内に存在する案内対象物を示すＰＯＩ情報を検索する処理とを
実行させるためのナビゲーションプログラム。